(57)【要約】【課題】ヘッジトリマが様々な向きで使用された場合でも、枝葉を受け止めやすいチップレシーバを提供する。【解決手段】  チップレシーバは、ブレードユニットに対して取り付けられる基部と、ブレードユニットによって刈り取られたチップを受け止める受け止め部と、基部に対して受け止め部を回動可能に連結するヒンジ構造とを備える。ヒンジ構造の軸線は、ブレードユニットの長手方向に対して実質的に平行である。【選択図】図４
2019129764.tif 000002
【特許請求の範囲】
【請求項１】
ブレードユニットを有するヘッジトリマのためのチップレシーバであって、
前記ブレードユニットに対して取り付けられる基部と、
前記ブレードユニットによって刈り取られた枝葉を受け止める受け止め部と、
前記基部に対して前記受け止め部を回動可能に連結するヒンジ構造と、を備え、
前記ヒンジ構造の軸線は、前記ブレードユニットの長手方向に対して実質的に平行である、
チップレシーバ。
【請求項２】
前記ヒンジ構造は、前記基部に対して前記受け止め部が、少なくとも４５度の角度範囲で回動することを許容する、請求項１に記載のチップレシーバ。
【請求項３】
前記ヒンジ構造は、前記基部に対して前記受け止め部が、少なくとも９０度の角度範囲で回動することを許容する、請求項１に記載のチップレシーバ。
【請求項４】
前記基部に対する前記受け止め部の角度を固定する固定機構をさらに備える、請求項１から３のいずれか一項に記載のチップレシーバ。
【請求項５】
前記固定機構は、少なくとも二つの角度位置で、前記基部に対する前記受け止め部の角度を固定する、請求項４に記載のチップレシーバ。
【請求項６】
前記少なくとも二つの角度位置は、第１角度位置と、前記第１角度位置と９０度の角度を成す第２角度位置を含む、請求項５に記載のチップレシーバ。
【請求項７】
前記第１角度位置では、前記ブレードユニットの刃先が並ぶ基準面に対して、前記受け止め部が平行に配置され、
前記第２角度位置では、前記基準面に対して、前記受け止め部が垂直に配置される、請求項６に記載のチップレシーバ。
【請求項８】
前記基部は、前記ブレードユニットに対して第１の姿勢と第２の姿勢のそれぞれで取り付け可能であり、
前記基部が前記第１の姿勢で取り付けられたときは、前記受け止め部が前記ブレードユニットの一方側に位置し、前記基部が前記第２の姿勢で取り付けられたときは、前記受け止め部が前記ブレードユニットの他方側に位置する、請求項７に記載のチップレシーバ。
【請求項９】
前記受け止め部は、前記基部に対して工具を必要とすることなく着脱可能である、請求項１から８のいずれか一項に記載のチップレシーバ。
【請求項１０】
ブレードユニットと、
前記ブレードユニットに取り付けられる請求項１から９のいずれか一項に記載のチップレシーバと、
を備えるヘッジトリマ。
【発明の詳細な説明】
【技術分野】
【０００１】
本開示は、ヘッジトリマのためのチップレシーバに関する。
【背景技術】
【０００２】
特許文献１に、ヘッジトリマのためのチップレシーバが開示されている。このチップレシーバは、ヘッジトリマのブレードユニットに取り付けられ、ブレードユニットによって刈り取られた枝葉を受け止める。
【先行技術文献】
【特許文献】
【０００３】
【特許文献１】特開２００１−７８５７１号公報
【発明の概要】
【発明が解決しようとする課題】
【０００４】
生垣を剪定するときに、ヘッジトリマは様々な向きで使用され、ヘッジトリマが使用される向きによっては、刈り取られた枝葉をチップレシーバで受け止められないことがある。この点に関して、特許文献１に記載のチップレシーバは、一方に開口を有する箱形の形状を有しており、ヘッジトリマが様々な向きで使用された場合でも、刈り取られた枝葉を受け止められるように構成されている。しかしながら、箱形の形状を有するチップレシーバは、そのサイズが大型化しやすいことから、ヘッジトリマの操作性を低下させるおそれがある。
【０００５】
上述を鑑み、本明細書は、ヘッジトリマが様々な向きで使用された場合でも、枝葉を受け止めやすいチップレシーバを実現し得る新たな技術を提供する。
【課題を解決するための手段】
【０００６】
本明細書は、ブレードユニットを有するヘッジトリマのためのチップレシーバを開示する。このチップレシーバは、ブレードユニットに対して取り付けられる基部と、ブレードユニットによって刈り取られた枝葉を受け止める受け止め部と、基部に対して受け止め部を回動可能に連結するヒンジ構造とを備える。ヒンジ構造の軸線は、ブレードユニットの長手方向に対して実質的に平行である。ここで、実質的に平行とは、完全に平行な方向に対して、１０度以内の誤差が許容されることを意味する。
【０００７】
上記したチップレシーバでは、ブレードユニットに対して、受け止め部を回動させることができる。このような構成によると、ヘッジトリマが使用される向きに応じて、受け止め部の角度を調整することができる。例えば、生垣の上面を剪定するときは、受け止め部を倒した姿勢とし、生垣の側面を剪定するときは、受け止め部を起こした姿勢とすることができる。これにより、ユーザは、ヘッジトリマを様々な向きで使用する場合でも、受け止め部の角度を調整することによって、刈り取られた枝葉をチップレシーバで受け止めることができる。
【図面の簡単な説明】
【０００８】
【図１】実施例のヘッジトリマ１０を示す外観図。
【図２】実施例のヘッジトリマ１０の内部構造を示す断面図。
【図３】ブレードユニット１４に取り付けられたチップレシーバ１６を示す図。
【図４】チップレシーバ１６を部分的に分解して示す図。
【図５】受け止め部５０が第１回転位置にあるときのチップレシーバ１６を示す図。
【図６】受け止め部５０が第２回転位置にあるときのチップレシーバ１６を示す図。
【図７】ブレードユニット１４に対して第１の姿勢で取り付けられたチップレシーバ１６の断面図。
【図８】ブレードユニット１４に対して第２の姿勢で取り付けられたチップレシーバ１６の断面図。
【発明を実施するための形態】
【０００９】
本技術の一実施形態において、ヒンジ構造は、基部に対して受け止め部が少なくとも４５度の角度範囲で回動することを許容するとよい。あるいは、ヒンジ構造は、基部に対して受け止め部が、少なくとも９０度の角度範囲で回動することを許容するとよい。
【００１０】
本技術の一実施形態において、ヘッジトリマは、基部に対する受け止め部の角度を固定する固定機構をさらに備えてもよい。このような構成によると、ユーザが受け止め部の角度を調整した後に、受け止め部の角度が意図せず変化することを避けることができる。但し、他の実施形態として、ヘッジトリマは固定機構を必ずしも備える必要はなく、受け止め部の角度が、受け止め部の自重によって定まるように構成されていてもよい。
【００１１】
上記した実施形態において、固定機構は、少なくとも二つの角度位置で、基部に対する受け止め部の角度を固定し得るように構成されてもよい。この場合、少なくとも二つの角度位置は、第１角度位置と、第１角度位置と９０度の角度を成す第２角度位置を含んでもよい。そして、特に限定されないが、第１角度位置では、ブレードユニットの刃先が並ぶ基準面に対して受け止め部が平行に配置されてもよく、第２角度位置では、基準面に対して受け止め部が垂直に配置されるとよい。但し、他の実施形態として、固定機構は、一つの角度位置のみで受け止め部の角度を固定し得る構成であってもよいし、三以上の角度位置で受け止め部の角度を固定し得る構成であってもよい。
【００１２】
本技術の一実施形態において、チップレシーバの基部は、ブレードユニットに対して、少なくとも第１の姿勢と第２の姿勢で取り付け可能であってもよい。この場合、基部が第１の姿勢で取り付けられたときは、受け止め部がブレードユニットの一方側に位置し、基部が第２の姿勢で取り付けられたときは、受け止め部がブレードユニットの他方側に位置してもよい。このような構成によると、ユーザは、ブレードユニットの一方側に位置する刃先を使用するときは、チップレシーバの受け止め部をブレードユニットの他方側に配置し、ブレードユニットの他方側に位置する刃先を使用するときは、チップレシーバの受け止め部をブレードユニットの一方側に配置することができる。
【００１３】
本技術の一実施形態において、受け止め部は、例えば工具を必要とすることなく、基部に対して着脱可能であってもよい。このような構成によると、例えば受け止め部が破損したときに、新たな受け止め部への交換を容易に行うことができる。あるいは、受け止め部が必要とされないときは、受け止め部を取り外した状態でヘッジトリマを使用することができる。
【実施例】
【００１４】
図面を参照して、実施例のヘッジトリマ１０について説明する。ヘッジトリマ１０は、園芸用の電動工具であり、主に生垣の選定に用いられる。図１、図２に示すように、ヘッジトリマ１０は、本体１２と、本体１２に取り付けられたブレードユニット１４と、ブレードユニット１４に対して取り付けられたチップレシーバ１６とを備える。なお、本実施例のチップレシーバ１６は、ブレードユニット１４へ直接的に取り付けられるが、他の実施形態として、チップレシーバ１６は、例えば本体１２へ取り付けられることにより、ブレードユニット１４に対して間接的に取り付けられてもよい。
【００１５】
ブレードユニット１４は、本体１２から前方に向かって直線的に延びている。ブレードユニット１４は、上ブレード３２と下ブレード３４とを含む、一対のシャーブレード３２、３４を有する。上ブレード３２は、ブレードユニット１４の両側に、複数の刃先３２ａを有している。複数の刃先３２ａは、ブレードユニット１４の長手方向に沿って配列されている。下ブレード３４も、ブレードユニット１４の両側に、複数の刃先３４ａを有している。下ブレード３４においても、複数の刃先３４ａは、ブレードユニット１４の長手方向に沿って配列されている。一対のシャーブレード３２、３４は、上ガイドプレート３６と下ガイドプレート３８との間に配置されており、ブレードユニット１４の長手方向に沿って往復運動可能に保持されている。
【００１６】
本体１２は、ハウジング２０と、ハウジング２０内に収容されたモータ２２と、モータ２２をブレードユニット１４へ接続するクランク機構２４とを有する。ハウジング２０には、ユーザが把持するハンドル２６が設けられている。ハンドル２６には、ユーザによって操作されるトリガ２８が設けられている。ユーザがトリガ２８を操作すると、モータ２２が回転駆動され、ユーザがトリガ２８の操作を解除すると、モータ２２の回転駆動が中止される。トリガ２８は、ユーザによって操作される操作部材の一例であり、他の形態の操作部材に変更されてもよい。モータ２２が出力する回転運動は、クランク機構２４を介してブレードユニット１４へ伝達され、クランク機構２４において一対のシャーブレード３２、３４の往復運動に変換される。
【００１７】
本実施例のヘッジトリマ１０は、商用電源に接続されるコード式の電動工具であるが、他の実施形態として、ヘッジトリマ１０は、バッテリパックを電源とするコードレス式の電動工具であってもよい。あるいは、ヘッジトリマ１０は、モータ２２に代えて、又は加えて、ブレードユニット１４を駆動するエンジンを有してもよい。その他の構成に関しても、上述した本実施例の構成は一例であり、適宜変更することができる。
【００１８】
図３、図４をさらに参照して、チップレシーバ１６について説明する。チップレシーバ１６は、ヘッジトリマ１０における代表的なアクセサリの一つであり、ブレードユニット１４によって切り取られた枝葉を受け止める。チップレシーバ１６は、概して、基部４０と受け止め部５０とを有する。基部４０は、ブレードユニット１４に対して取り付けられ、ブレードユニット１４上に配置される。受け止め部５０は、ブレードユニット１４の一方側に配置され、ブレードユニット１４によって刈り取られた枝葉を受け止める。基部４０と受け止め部５０とのそれぞれは、特に限定されないが、樹脂で構成されている。
【００１９】
受け止め部５０の詳細な構成については特に限定されない。一例ではあるが、本実施例における受け止め部５０は、底壁５０ａと、底壁５０ａの周縁に設けられた側壁５０ｂとを有する。底壁５０ａは、凹状に湾曲している。底壁５０ａには、枝葉の落下を防止するために、複数の突起や区切りが設けられている。側壁５０ｂは、底壁５０ａから連続的に延びている。側壁５０ｂの上縁には、枝葉の落下を防止するために、複数の凹凸が設けられている。
【００２０】
受け止め部５０は、シャフト６０を介して、基部４０に連結されている。詳細には、基部４０と受け止め部５０のそれぞれに、シャフト６０を受け入れる筒部４４、５４が設けられており、これらはシャフト６０とともにヒンジ機構を構成している。このヒンジ機構により、受け止め部５０は基部４０に対して回動可能に連結されている。このヒンジ機構の軸線（即ち、シャフト６０の長手軸）は、ブレードユニット１４の長手方向に対して実質的に平行である。ここでいう実質的に平行とは、両者の成す角度が１０度以下（ゼロを含む）を意味する。ヒンジ機構の構成は、本明細書で例示する構成に限定されず、基部４０に対して受け止め部５０を回動可能に連結するものであればよい。
【００２１】
チップレシーバ１６のヒンジ構造は、基部４０に対して受け止め部５０が少なくとも４５度の角度範囲で回動することを許容するとよい。あるいは、ヒンジ構造は、基部４０に対して受け止め部５０が、少なくとも９０度の角度範囲で回動することを許容するとよい。一例ではあるが、本実施例におけるチップレシーバ１６では、図５に示す第１角度位置と、図６に示す第２角度位置との間で、受け止め部５０が回動することができる。ここで、第１角度位置と第２角度位置とが成す角度は９０度である。第１角度位置では、ブレードユニット１４の刃先３２ａ、３４ａが並ぶ基準面に対して、受け止め部５０が概ね平行に配置される。第２角度位置では、基準面に対して、受け止め部５０が概ね垂直に配置される。
【００２２】
本実施例のチップレシーバ１６では、ブレードユニット１４に対して、受け止め部５０が回動させることができる。このような構成によると、ヘッジトリマ１０が使用される向きに応じて、受け止め部５０の角度を調整することができる。例えば、生垣の上面を剪定するときは、受け止め部５０を倒した姿勢（例えば、図５に示す第１角度位置）とし、生垣の側面を剪定するときは、受け止め部５０を起こした姿勢（例えば、図６に示す第２角度位置）とすることができる。これにより、ユーザは、ヘッジトリマ１０を様々な向きで使用する場合でも、受け止め部５０の角度を調整することによって、刈り取られた枝葉をチップレシーバ１６で受け止めることができる。
【００２３】
本実施例のチップレシーバ１６は、第１固定機構４６、５６と、第２固定機構４８、５８とを有する。第１固定機構４６、５６は、受け止め部５０が図５に示す第１角度位置にあるときに、基部４０に対する受け止め部５０の角度を固定する。ここで、受け止め部５０の角度を固定するとは、少なくとも受け止め部５０の自重による回動を禁止することを意味する。第１固定機構４６、５６の具体的な構成については特に限定されない。一例ではあるが、本実施例における第１固定機構４６、５６は、基部４０に設けられた爪部４６と、受け止め部５０に設けられた爪部５６とを有する。そして、受け止め部５０が第１角度位置にあるときに（図５参照）、それらの爪部４６、５６が互いに係合することによって、基部４０に対する受け止め部５０の角度が固定される。
【００２４】
第２固定機構４８、５８は、受け止め部５０が図６に示す第２角度位置にあるときに、基部４０に対する受け止め部５０の角度を固定する。第２固定機構４８、５８の具体的な構成については特に限定されない。一例ではあるが、本実施例における第２固定機構４８、５８は、基部４０に設けられた爪部４８と、受け止め部５０に設けられた爪部５８とを有する。そして、受け止め部５０が第２角度位置にあるときに（図６参照）、それらの爪部４８、５８が互いに係合することによって、基部４０に対する受け止め部５０の角度が固定される。他の実施形態として、第１固定機構４６、５６と第２固定機構４８、５８の少なくとも一方は、ねじ等を用いた構造を有してもよい。あるいは、チップレシーバ１６は、基部４０に対する受け止め部５０の角度を三以上の角度位置で固定し得る固定機構を有してもよい。
【００２５】
次に、図３、図４、図７、図８を参照して、基部４０の構造について説明を加える。基部４０は、ピンチ部４２を有する。ピンチ部４２は、ブレードユニット１４の上ガイドプレート３６を挟持しており、上ガイドプレート３６に両側から係合している。ピンチ部４２は変形可能な構造を有しており、ユーザがピンチ部４２をつまむことによって、ピンチ部４２と上ガイドプレート３６との間の係合は解除される。これにより、チップレシーバ１６は、ブレードユニット１４に対して着脱可能に構成されている。例えばチップレシーバ１６が必要とされない場合、ユーザは、チップレシーバ１６をブレードユニット１４から容易に取り外すことができる。
【００２６】
また、チップレシーバ１６の基部４０は、ブレードユニット１４に対して、図７に示す第１の姿勢と、図８に示す第２の姿勢とのそれぞれで、取り付け可能となっている。図７に示すように、基部４０が第１の姿勢で取り付けられたときは、受け止め部５０がブレードユニット１４の一方側に位置する。図８に示すように、基部４０が第２の姿勢で取り付けられたときは、受け止め部５０がブレードユニット１４の他方側に位置する。このような構成によると、ユーザは、ブレードユニット１４の一方側に位置する刃先３２ａ、３４ａを使用するときは、受け止め部５０をブレードユニット１４の他方側に配置し、ブレードユニット１４の他方側に位置する刃先３２ａ、３４ａを使用するときは、受け止め部５０をブレードユニット１４の一方側に配置することができる。
【００２７】
本実施例のチップレシーバ１６では、受け止め部５０が、例えば工具を必要とすることなく、基部４０に対して着脱可能に構成されている。このような構成によると、例えば受け止め部５０が破損したときに、新たな受け止め部５０への交換を容易に行うことができる。あるいは、受け止め部５０が必要とされないときは、受け止め部５０を取り外した状態でヘッジトリマ１０を使用することができる。
【００２８】
以上、いくつかの具体例を詳細に説明したが、これらは例示に過ぎず、特許請求の範囲を限定するものではない。特許請求の範囲に記載の技術には、以上に例示した具体例を様々に変形、変更したものが含まれる。本明細書又は図面に説明した技術要素は、単独であるいは各種の組合せによって技術的有用性を発揮するものである。
【符号の説明】
【００２９】
１０：ヘッジトリマ
１２：本体
１４：ブレードユニット
１６：チップレシーバ
２０：ハウジング
２２：モータ
２４：クランク機構
２６：ハンドル
２８：トリガ
３２：一対のシャーブレードの上ブレード
３２ａ：上ブレードの刃先
３４：一対のシャーブレードの下ブレード
３４ａ：下ブレードの刃先
４０：チップレシーバの基部
４２：基部のピンチ部
４４：基部の筒部（ヒンジ機構の一部）
４６、５６：第１固定機構（爪部）
４８、５８：第２固定機構（爪部）
５０：受け止め部
５０ａ：受け止め部の底壁
５０ｂ：受け止め部の側壁
５４：受け止め部の筒部（ヒンジ機構の一部）
６０：シャフト（ヒンジ機構の一部）
【図１】
2019129764.tif 000003
【図２】
2019129764.tif 000004
【図３】
2019129764.tif 000005
【図４】
2019129764.tif 000006
【図５】
2019129764.tif 000007
【図６】
2019129764.tif 000008
【図７】
2019129764.tif 000009
【図８】
2019129764.tif 000010